(57)【要約】      （修正有）【課題】灯具全体の部材を少なくし、コンパクト効果をもたせるとともに、ランプシェードフレームの包装体積を軽減し、輸送コストを有効軽減できるランプシェードフレーム組合わせの改良構造を提供する。【解決手段】上部フレーム１１、下部フレーム１２と、連稈の台座１３と、を有し、前記連稈の台座は、前記上部フレームまたは前記下部フレームに連結するフレーム装置１０と、光除けを有し、前記光除けの内側面の上部位置と下部位置は、それぞれ連結バーを設けていて、前記連結バーの外側を前記光除けに固設し、前記連結バーの内側は、前記上部フレーム、前記下部フレームに対応し嵌着し結合する取付溝を嵌着する光除け装置３０とを備える。これにより、灯具全体の部材を軽減でき、コンパクトの効果を有し、かつランプシェードフレームの梱包体積を明らかに軽減され、輸送コストを有効に低減できると共に、光除けとフレームとの組合せがより安定でき、質感を向上できる。【選択図】図１
0003170048.tif 000002
【実用新案登録請求の範囲】
【請求項１】
フレーム装置と、光よけ装置とを備える、ランプシェードフレームの構造であって、
前記フレーム装置は、上部フレーム、下部フレームと連稈の台座とを有し、前記連稈の台座は、前記上部フレームまたは前記下部フレームに連結していて、
前記光よけ装置は、光除けを有し、前記光除け内面の上部位置、下部位置は、それぞれ連結バーを設けられ、前記連結バーは、適切な弾性を有し、かつ前記連結バーの外側は、前記光除けに固設していて、前記連結バーの内側は、前記上部フレーム、前記下部フレームに対応して嵌着する取付溝を設けられていることを特徴とする、
ランプシェードフレームの構造。
【請求項２】
前記上部フレームと前記下部フレームは、金属またはその他硬質部材からなることを特徴とする請求項１記載のランプシェードフレームの構造。
【請求項３】
前記連稈の台座は、複数の連稈を有し、前記連稈の外部端は、前記上部フレームまたは前記下部フレームに連結し、前記連稈の内部端は、ランプシェードの結合台に連結していて、前記ランプシェードの連結台の中央部は、貫通穴を設けられていることを特徴とする請求項１記載のランプシェードフレームの構造。
【請求項４】
前記連結バーは、ゴム部材または可塑性部材であることを特徴とする請求項１記載のランプシェードフレームの構造。
【請求項５】
前記連結バーの外側は、前記光よけに固設させるための連結面を有することを特徴とする請求項１記載のランプシェードフレームの構造。
【請求項６】
前記連結バーの内側は、方形体、矩形体、弧状体、半円形体またはその他形体のいずれかの設置であることを特徴とする請求項１記載のランプシェードフレームの構造。
【請求項７】
前記取付溝は、方形、弧形またはその他形体矩形の設置であることを特徴とする請求項１記載のランプシェードフレームの構造。
【請求項８】
前記上部フレームと前記下部フレームは、前記取付溝に対応して設置することを特徴とする請求項１記載のランプシェードフレームの構造。
【請求項９】
前記取付溝の先端側面は、溝係止部を設けられていることを特徴とする請求項１記載のランプシェードフレームの構造。
【考案の詳細な説明】
【技術分野】
【０００１】
本考案は、ランプシェードの構造に関し、特に安定して組み立てることができ、かつより良い経済効果と質感を備える、ランプシェードフレーム組合わせの改良構造に関する。
【背景技術】
【０００２】
灯具は、家庭で良く使用されている照明器具である。灯の変化を利用し、居住環境の雰囲気を作り出すことができるため、今日の住宅インテリアの一つの重要な要素を構成する。灯具は、その目的及び用途により、多様な風貌を形成することができる。たとえば、天井灯、フロアスタンド、壁付灯、卓上灯など、通常は室内に設置していて、環境感覚を造成する灯具は、ランプシェードを備えた灯具が使用されている。ランプシェードを利用し、灯の光線を和らげるや明るさ、光色などを調節することができる。
【考案の概要】
【考案が解決しようとする課題】
【０００３】
公知のランプシェードは固定式と取外し可能な組合せタイプがある。固定式のランプシェードは、体積が大きく、輸送と保管が不便であり、費用が掛かるほか、輸送の過程で破損しやすい。そのため、近年はランプシェードを取外し可能な構造は、たとえば、中華民国特許公報第Ｍ３５０６７２号によれば、ランプシェードのフレームと光除けが容易に取外しと組合せのランプシェードを提供し、ランプシェードのフレームと光除けとの間は、ベルクロによって連結され、ランプシェードと光除けをそれぞれに包装することができる。この種のランプシェードの組み合わせ方は、包装と輸送コストを軽減できる。しかし、前述のランプシェード構造は、取外しと組合せは可能だが、なお欠点が存在する。たとえば、該上部フレームと下部フレームは、充分な面積をベルクロで貼り合わせに提供する必要があるため、該上部フレームと下部フレームの体積が大きくなり、全体の重量が重くなっていて、部材コストがかさばり、経済メリットはなく、明らかに理想な設計とは言えない。さらに、ベルクロによる貼り合わせ構造は、質感は良くなく、併せて改善する必要がある。よって、前述公知構造の製造、使用上の欠点を解決するために、当業者が努力し、このような課題を克服するところである。
【０００４】
本考案人は、公知技術のランプシェードの構造と使用面の欠点並びにその構造設計が理想でない事実について、解決方策の研究開発に取り掛かり、部材がより少なく、よりコンパクト、より質感効果を有するシェードフレーム組み合わせ構造を目指し、社会大衆に貢献する共に業界の発展促進を図り、種々研究した結果、本考案を思料した。
【課題を解決するための手段】
【０００５】
本考案の主な目的は、灯具全体の部材を少なくし、コンパクト効果をもたせるとともに、ランプシェードフレームの包装体積を軽減し、輸送コストを有効軽減できるランプシェードフレーム組合わせの改良構造を提供する。
【０００６】
本考案もう一つの目的は、光除けとフレームとの組合せをより安定し、質感効果を向上し、灯具製品の付加価値を積極に向上できるランプシェードフレーム組合わせの改良構造を提供する。
【０００７】
本考案の前記目的を達成するために使用する技術手段は、上部フレーム、下部フレームと連稈の台座を有するフレーム装置と、光除けを有し、前記光除け内面の上部位置と下部位置に、それぞれ連結バーを設置し、前記連結バーの外側は、前記光除けに固設していて、前記連結バーの内側は、前記上部フレーム、下部フレームに対応し結合する取付溝を設置した光除け装置と、を備える。
【図面の簡単な説明】
【０００８】
【図１】本考案の立体概略図である。
【図２ａ】本考案の局所の組合せ概略図である。
【図２ｂ】本考案図２の局部拡大概略図である。
【図２ｃ】本考案図２もう一つの局部拡大概略図である。
【図３】本考案の局所立体断面視図である。
【図４】本考案の連結バーの実施例２の態様図である。
【図５】本考案の連結バーの実施例３の態様図である。
【考案を実施するための形態】
【０００９】
本考案の技術特徴及び達成する効果のさらなる理解及び認識を図るため、好ましい実施態様図と合わせて、以下のとおり詳細説明する。
【実施例１】
【００１０】
図１ないし３を参照する。本考案のランプシェードフレーム組合わせの改良構造は、フレーム装置１０と光除け装置３０と、を備える。フレーム装置１０は、上部フレーム１１、下部フレーム１２と、連稈の台座１３とを有する。本実施例において、上部フレーム１１と下部フレーム１２は円形棒状の囲い体であり、金属製またはその他硬質部材からなる。連稈の台座１３は上部フレーム１１に連結されている。さらに、他の実施例において、連稈の台座１３を下部フレーム１２に連結させても良い。連稈の台座１３は３つの連稈１３１、１３２、１３３を有し、連稈１３１、１３２、１３３の外端部は、それぞれ上部フレーム１１に連結し、連稈１３１、１３２、１３３の内端部は、それぞれランプシェード結合台１４に連結しており、ランプシェード結合台１４の中央部は、貫通穴１４１を設けられている。
【００１１】
前記光除け装置３０は光除け３１を有し、前記光除け３１内面の上部位置、下部位置は、それぞれ連結バー３２、３３を設けられ、連結バー３２、３３は、ゴム部材または可塑性部材を使用しており、適切な弾性を有する。連結バー３２、３３は、それぞれ連結面３２０、３３０を有し、連結面３２０、３３０は、光除け３１の内面に固設していて、連結バー３２、３３は、上部フレーム１１、下部フレーム１２に対向する（すなわち、連結面３２０、３３０のもう一つの表面に対向する）一表面に取付溝３２１、３３１を設ける。さらに、光除け３１を連結バー３２、３３に連結したとき、光除け３１の上端部３１Ａがやや高く、上向きに連結バー３２よりわずかな距離を突き出すことになっていて、同じく、光除け３１の底部３１Ｂがやや低く、下向きに連結バー３３よりわずかな距離を突き出す。
【００１２】
本考案のランプシェードフレーム組合わせの改良構造を組み合わせるときは、上部フレーム１１、下部フレーム１２を連結バー３２、３３の取付溝３２１、３３１に取り付けて置き、光よけ３１を上部フレーム１１、下部フレーム１２に組み合わせる。
【実施例２】
【００１３】
引き続き、図４の本考案の連結バーの実施例２を参照する。この実施例は、実施例１の構造をベースに変化を加えたものである。そのうち、連結バー３４の一側面は弧状体（または半円形体）を形成していて、連結バー３４の外側は、連結面３４０を有し、連結バー３４の内側は、弧状取付溝３４１を設けられ、弧状取付溝３４１は、円径棒の上部フレーム１１、下部フレーム１２の取り付けに備える。
【実施例３】
【００１４】
引き続き、図５の本考案の連結バーの実施例３を参照する。この実施例は、実施例１の構造をベースに変化を加えたものである。そのうち、連結バー３５の一つの側面は、正方体（または矩形体）を形成していて、連結バー３５の外側は、連結面３５０を有し、連結バー３５の内側は、矩形の取付溝３５１を有する。矩形の取付溝３５１先端の側面は、溝係止部３５２を設け、矩形の取付溝３５１は、角柱形に設置された上部フレーム１１（または下部フレーム１２）の取付に備え、矩形の取付溝３５１に取り付けていた上部フレーム１１（または下部フレーム１２）を取り付けて、溝係止部３５２によって係止して置き、抜け出すことを防止する。よって、前述連結バーの連結面は、平面に設置することが好ましいである。さらに、連結バーの内側は、方形体、矩形体、弧状体、半円形体またはその他形体を設置することができる。なお、取付溝は、方形、弧形またはそのた形状の取付溝を設けることができる。さらに、上部フレームと下部フレームは、取付溝に対応して設置することができる。
【００１５】
本考案のランプシェードフレーム組合わせの改良構造は以上に説明した構成により、当具全体の部材を軽減でき、コンパクトの効果を有し、ひいては、ランプシェードフレームの梱包体積の軽減が明らかであるため、輸送コストを有効に低減できるほか、光よけとフレームと組み合わせがより安定し、質感効果を向上し、ひいては、灯具製品の付加価値を積極に向上することができる。
【００１６】
前述とおり、本考案は実用新案登録の要件を満足しているため、法により実用新案登録を出願する。以上に説明した本考案の実施例は、本考案の好ましい実施例であり、本考案に何らの制限を加わるものではない。よって、本考案の実用新案登録請求範囲に掲げた形状、構造、特長および精神に基づいた変更と修飾は、なお本考案の実用新案登録出願の範疇に含まれる。
【符号の説明】
【００１７】
１０            フレーム装置
１１            上部フレーム
１２            下部フレーム
１３            連稈の台座
１３１、１３２、１３３    連稈
１４            ランプシェード結合台
１４１            貫通穴
３０            光よけ装置
３１            光よけ
３１Ａ            上端部
３１Ｂ            底部
３２、３３        連結バー
３２０、３３０        連結面
３２１、３３１        取付溝
３４            連結バー
３４０            連結面
３４１            弧状取付溝
３５            連結バー
３５０            連結面
３５１            矩形の取付溝
３５２            溝係止部
【図１】
0003170048.tif 000003
【図２ａ】
0003170048.tif 000004
【図２ｂ】
0003170048.tif 000005
【図２ｃ】
0003170048.tif 000006
【図３】
0003170048.tif 000007
【図４】
0003170048.tif 000008
【図５】
0003170048.tif 000009